(57)【特許請求の範囲】
【請求項１】
容器本体と容器本体の首部に取り付けられる蓋体とからなり、
容器本体および蓋体は合成樹脂製で、蓋体は容器本体より硬質であり、
液体に粒状物を混合した内容物を収容し、光を遮断して保存するための密閉容器であって、
容器本体と蓋体とを同径として、蓋体が容器本体の下部に位置した状態を安定的正位とし、
容器本体首部の雄螺子と螺合する蓋体に雌螺子部を有する凹部を設け、
容器本体は不透明材料からなり、
容器本体下部開口部と接する蓋体部分のみを透明とし、
該透明とした蓋体部分を通じて、該容器本体の首部における該粒状物の沈殿状態を視認可能とし、
容器本体内容物の混合状態を閉蓋のまま視認可能とした密閉容器。
【請求項２】
容器本体と容器本体首部に螺合する透明キャップと蓋体とからなり、
液体に粒状物を混合した内容物を収容し、光を遮断して保存するための密閉容器であって、
容器本体と蓋体とを同径として、蓋体が容器本体の下部に位置した状態を安定的正位とし、
容器本体は不透明材料からなり、
蓋体底面に透明キャップと嵌合する嵌合孔を設け、かつ、蓋体と容器本体とが係止する係止手段を有し、
該透明キャップを通じて、該容器本体首部における該粒状物の沈殿状態を視認可能とし、
容器本体内容物の混合状態を閉蓋のまま視認可能とした密閉容器。
【発明の詳細な説明】
技術分野
本発明は、容器本体と、これに螺合する蓋体とからなる容器に関し、均一な混合状態での使用が望まれる混合内容物を使用する際に、当該内容物の混合状態を閉蓋のまま視認可能とする密閉容器に関するものである。
背景技術
従来、混合内容物を収容した容器であって、内容物の性質上、あるいはデザイン面からの要求により、容器本体を不透明とせざるを得ない容器にあっては、使用時に内容物の混合状態を、蓋を閉じたまま外部から確認できるものがなかった。
従って、このような従来型の容器に、液体と粉粒物の混合液や、比重の異なる２種以上の混合液、または粒径、粒形、色彩の異なる２種以上の粉粒混合物を収容した場合には、その使用に際して、必要以上に加振したり、あるいは加振し忘れて内容物の期待の効果が得られなかったりした。
容器本体側面、あるいは底部に一部透明部分を設けることでも内容物の確認は可能であるが、そのような容器は製造工程を複雑化させ、コストアップにつながり望ましくない。そこで本願発明は、容器の注ぎ口に着目し、この注ぎ口を通じて内容物の混合状態を確認できるように工夫したものであり、また、従来の容器製造工程に余分な工程等を加えることなく、不透明容器を混合物の容器として利用する場合であっても、内容物の混合状態を蓋を閉じたまま外部から視認可能な密閉容器を提供することを目的とする。
発明の開示
本発明の密閉容器は、容器本体首部の雄螺子と螺合する、蓋体に成形された雌螺子部を有する凹部と、容器本体下部開口部と接する蓋体部分を透明とし、容器本体内容物の混合状態を閉蓋のまま視認可能としたこと、また本発明の密閉容器は、蓋体全部を透明としたこと、また本発明の密閉容器は、容器本体が不透明材料からなること、また本発明の密閉容器は、合成樹脂製の容器本体と蓋体であって、蓋体は容器本体より硬質であることを要旨とする。
【図面の簡単な説明】
第１図は、本発明の密閉容器を示した斜視図であり、第２図は、蓋体を示した拡大斜視図であり、第３図は、液体中の粒状物が沈殿した状態を示す略図であり、第４図は、第３図に示す状態を内容物確認領域（５）を通じて視認した図であり、第５図は、第二の実施例に係る密閉容器を示す略図であり、第６図は、液体中の粒状物が沈殿した状態を示す略図であり、第７図は、第６図に示す状態を蓋体下部側から視認した図であり、第８図は、第三の実施例に係る密閉容器を示す略図であり、第９図は、第四の実施例に係る密閉容器を示す略図である。
発明を実施するための最良の形態
本発明の容器本体及び蓋体の構成材料は、ポリスチレン、ポリエチレン、ポリプロピレン、ポリ塩化ビニルなどの熱可塑性樹脂やフェノール樹脂などの熱硬化性樹脂その他の合成プラスチックを材料とし、蓋体は容器本体より硬質に成形されている。そしてこれらの成形は射出成形、中空成形、真空成形、圧縮成形その他の周知の成形法による。また、内容物の種類に応じて、本願の特徴を損なわないものであれば、前記材料に限らず他の材料によっても良い。
本発明の密閉容器（１）は、直方体の容器本体（２）と、容器本体首部（６）に設けた雄螺子と螺合する雌螺子部を有する凹部（４）をその中央部に有する蓋体（３）とからなり、少なくとも凹部（４）の、容器本体下部開口部と接する蓋体部分は透明であるが、蓋体（３）全体を透明としても良い。
また、容器本体および蓋体の形状は上記の形状に限られず、容器本体を円柱、球体、あるいはその他の形状としても良く、蓋体も図２に示す形状に限られない。しかしながら、本願発明は蓋体を下に向けた状態を正位とすることから、少なくとも設置面は平面であり、安定を保つためにある程度の設置面積を必要とする。
また、第８図、第９図に示すように、前記凹部（４）を透明キャップ単体（４ａ）として蓋体（３）と別体に構成し、蓋体（３）の底面に当該キャップ（４ａ）と嵌合する嵌合孔（１０）を設け、かつ、蓋体（３）と容器本体（２）とが係止する係止手段（１１）（１２）（１３）（１４）、或いは蓋体（３）と当該キャップ（４ａ）とが係止する係止手段（１５）（１６）のいずれか一の組み合わせに係る係止手段を有する構成としてもよい。
実施例１
以下に、本願発明の密閉容器の第一の実施例を第１図〜第４図を参照して説明する。
第１図は本発明の密閉容器を示した斜視図、第２図は蓋体を示した拡大斜視図、第３図は液体中の粒状物が沈殿した状態を示す略図、第４図は第３図に示す状態を蓋体透明部（３）を通じて視認した図である。（１）は本願発明の密閉容器、（２）は容器本体、（３）は蓋体、（４）は凹部、（５）は内容物確認領域、（６）は容器本体首部、（７）は支持片、（８）は粒状物、（９）は液体である。
本実施例における密閉容器（１）は図１に示したように、直方体の容器本体（２）と、全体が透明な蓋体（３）とから構成され、容器本体（２）の首部（６）には雄螺子が、また、蓋体（３）の内側中央部には前記雄螺子が螺合する雌螺子部を有する凹部（４）が設けられ、図２に示すように、必要に応じて４つの支持片（７）により、蓋体側面内周に支持することとしてもよい。また、蓋体（３）は、内容物確認領域（５）部分のみを透明とすることとしてもよい。
本実施例における密閉容器（１）は、１辺５５ｍｍ、全長１４０ｍｍを有し、その内蓋体の高さは３０ｍｍである。なお、蓋体の一辺を容器本体の一辺と同じ長さとすることで、蓋体を下側に存置する本願発明は安定的となる。また、容器本体が円柱状体とした場合、蓋体外周は容器本体と同径を有する。
材質は容器本体（２）がポリエチレン、蓋体（３）はポリスチレンによりそれぞれ成形され、蓋体（３）は容器本体（２）より硬質である。なお、材質は本願の特徴を損なわないものであればその他の合成樹脂等を材料としても良い。
さらに、容器本体首部（６）の径および蓋体雌螺子部（４）の径は図示したものに限られず、これより大きな径としても良く、全体の大きさも前述のものに限られない。
なお、容器本体と蓋体とは、容器本体首部先端が蓋体底面に接することで、螺合を完了し、内容物の混合状態が内容物確認領域（５）を通じて外部より視認可能となる。
内容物が、液体（９）に粒状物（８）を混ぜたものである場合、容器本体（２）内では、図３に示すような状態で粒子（８）が沈殿する。そしてその粒状物（８）は、内容物確認領域（５）の蓋体内側に直接接しているため、図３に示す矢印方向からこの沈殿状態が視認可能となる（図４）。使用者はそこで容器（１）を加振することで内容物を適度に混合させ、その混合状態を内容物確認領域（５）を通じ、適度に混合されていること、及び沈殿物がなくなくなっていることを確認し、内容物を使用する。
以上のことから、本願発明の密閉容器を利用すれば、蓋を開けずに内容物の混合状態を直接目で見て確認できることから、本実施例のように沈殿物を含有する液体を内容物とする場合には、十分な混合状態が得られないまま内容物を利用してしまうこともなく、必要以上に容器を加振することもなく、非常に有用である。
実施例２
本願発明の第二の実施例を第５図〜第７図を参照して説明する。
第５図は第二の実施例に係る密閉容器を示す略図、第６図は液体中の粒状物が沈殿した状態を示す略図、第７図は第６図に示す状態を蓋体下部側から視認した図である。なお、図中の示す数字は実施例１と同じ対象を指す。
本実施例に示す密閉容器は、本願発明のバリエーションを示すもので、容器本体及び蓋体を円柱状体とした他は実施例１と同様の構成を有するが、容器本体の直径とほぼ同径の大開口部を有する容器であることから、内容物の混合状態がより容易に確認できる。
実施例３
本願発明の第三の実施例を第８図を参照して説明する。
第８図は第三の実施例に係る密閉容器を示す略図である。なお、第８図の最下段の図は、蓋体（３）と容器本体（２）との係止状態を示す略図であるため、容器首部をはじめ、雄螺子、雌螺子は省略している。（３ａ）は蓋体、（４ａ）は透明キャップ、（１０）は嵌合孔、（１１）（１３）は係止凸部、（１２）（１４）は係止凹部、その他の数字は前述の実施例と同じ対象を指す。
第一の実施例においては凹部（４）と蓋体（３）は一体成形されていたが、本実施例においては、凹部（４）を透明のキャップ（４ａ）単体として蓋体（３ａ）と別体に構成し、蓋体（３ａ）の底面に当該透明キャップ（４ａ）と嵌合する嵌合孔（１０）を設け、かつ、蓋体（３ａ）と容器本体（２）とが係止する係止手段を有する。
容器首部にキャップ（４ａ）を螺合し、その後、蓋体（３ａ）と容器本体（２）を、蓋体に設けた係止凸部（１１）と容器本体（２）の下方に設けた係止凹部（１４）を、また、蓋体に設けた係止凹部（１２）と容器本体（２）の下方に設けた係止凸部（１３）を夫々係止させるものである。
第８図の最下段の図は容器本体（２）と透明キャップ（４ａ）、蓋体（３ａ）の嵌合状態を示す断面略図であるが、当該図に示すように、透明キャップ（４ａ）の最下端と蓋体（３ａ）底面とは面一になるように構成されている。
なお、容器側の係止手段（１３）（１４）は第８図の上段に示すように一部に設けるものの他、周囲に設ける態様でも構わない。
本実施例による構成によっても、内容物の混合状態を開蓋することなく容易に確認でき、さらに、係止手段により、蓋体と透明キャップとの係合が確実となるため、蓋体を下部に存置させる利用態様において好ましい。
実施例４
本願発明の第四の実施例を第９図を参照して説明する。
第９図は第四の実施例に係る密閉容器を示す略図である。なお、第９図の最下段の図は、蓋体（３）と透明キャップ（４ａ）との係止状態を示す略図であるため、容器首部をはじめ、雄螺子、雌螺子は省略している。（１５）は係止凸部、（１６）は係止凹部、その他の数字は前述の実施例と同じ対象を指す。
本実施例は、第三の実施例のバリエーションの発明に係るものであり、第９図の中段の図に示すように、嵌合孔（１０）に幅を持たせ、当該嵌合孔（１０）側壁に係止凸部（１５）を４箇所設け、第９図の最上段の図に示すように当該係止凸部（１５）に対応させて透明キャップ（４ａ）に係止凹部（１６）を設けてなるものである。
本実施例においても、第９図の最下段の図に示すように、透明キャップ（４ａ）の最下端と蓋体（３ａ）底面とは面一になるように構成されている。
本実施例による構成によっても、内容物の混合状態を開蓋することなく容易に確認でき、さらに、係止手段により、蓋体と透明キャップとの係合が確実となるため、蓋体を下部に存置させる利用態様において好ましい。
産業上の利用可能性
以上のように、本発明によれば、内容物の特性から光を遮断して保存する必要があり、容器を不透明とせざるを得ない場合であっても、蓋を開けずに内容物の混合状態を直接目で見て確認できることから、十分な混合状態が得られないまま内容物を利用してしまうこともなく、また、必要以上に容器を加振することもなく、非常に有用である。
なお、本願発明に係る密閉容器の内容物は前記実施例に挙げたものに限られず、例えば、比重の異なる２種類の色別可能な液体や、粒径、粒形、色彩、比重のうち少なくとも一の要素が異なる２種以上の粉粒混合物など、目で見て混合状態を確認できる混合物であれば同様の効果が得られる。
【図１】
0003720043.tif 000002
【図２】
0003720043.tif 000003
【図３】
0003720043.tif 000004
【図４】
0003720043.tif 000005
【図５】
0003720043.tif 000006
【図６】
0003720043.tif 000007
【図７】
0003720043.tif 000008
【図８】
0003720043.tif 000009
【図９】
0003720043.tif 000010